(57)【特許請求の範囲】
【請求項１】
物理上りリンク共用チャネルを用いた送信に関連する復調参照信号を生成するためのパラメータであって、端末装置固有の上位層パラメータを示す情報を受信する受信部と、
コンテンションベースのランダムアクセスプロシージャと関係なく、物理上りリンク共用チャネルを用いてトランスポートブロックの送信を行う場合、少なくとも前記上位層パラメータを用いて、前記復調参照信号を生成する生成部とを備えることを特徴とする端末装置。
【請求項２】
前記生成部は、前記コンテンションベースのランダムアクセスプロシージャの一部として、物理上りリンク共用チャネルを用いて前記トランスポートブロックの送信を行う場合、前記上位層パラメータの値を０として、前記復調参照信号を生成することを特徴とする請求項１に記載の端末装置。
【請求項３】
前記コンテンションベースのランダムアクセスプロシージャの一部として、前記物理上りリンク共用チャネルを用いて送信される前記トランスポートブロックは、ランダムアクセスレスポンスグラントに対応する物理上りリンク共用チャネルを用いて送信されるトランスポートブロックであることを特徴とする請求項２に記載の端末装置。
【請求項４】
物理上りリンク共用チャネルを用いた送信に関連する復調参照信号を生成するためのパラメータであって、端末装置固有の上位層パラメータを示す情報を受信する受信部と、
コンテンションベースのランダムアクセスプロシージャの一部として、物理上りリンク共用チャネルを用いた送信が、ランダムアクセスレスポンスグラントに対応する場合、前記パラメータの値を０として、前記復調参照信号を生成することを特徴とする端末装置。
【請求項５】
物理上りリンク共用チャネルを用いた送信に関連する復調参照信号を生成するためのパラメータであって、端末装置固有の上位層パラメータを示す情報を送信する送信部と、
コンテンションベースのランダムアクセスプロシージャと関係なく、物理上りリンク共用チャネルを用いてトランスポートブロックの送信を行う場合、前記上位層パラメータを用いて生成される前記復調参照信号に基づいて、該物理上りリンク共用チャネルを用いて送信される信号を復調する受信部とを備えることを特徴とする基地局装置。
【請求項６】
前記復調参照信号は、前記コンテンションベースのランダムアクセスプロシージャの一部として、物理上りリンク共用チャネルを用いて前記トランスポートブロックの送信を行う場合、前記パラメータの値を０として生成されることを特徴とする請求項５に記載の基地局装置。
【請求項７】
前記コンテンションベースのランダムアクセスプロシージャの一部として、前記物理上りリンク共用チャネルを用いて送信される前記トランスポートブロックは、前記ランダムアクセスレスポンスグラントに対応する物理上りリンク共用チャネルを用いて送信されるトランスポートブロックであることを特徴とする請求項６に記載の基地局装置。
【請求項８】
物理上りリンク共用チャネルを用いた送信に関連する復調参照信号を生成するためのパラメータであって、端末装置固有の上位層パラメータを示す情報を受信する受信部と、
コンテンションベースのランダムアクセスプロシージャの一部として、物理上りリンク共用チャネルを用いた送信が、ランダムアクセスレスポンスグラントに対応する場合、前記上位層パラメータの値を０として生成される前記復調参照信号に基づいて、前記物理上りリンク共用チャネルを用いて送信される信号を復調する復調部とを備えることを特徴とする基地局装置。
【請求項９】
物理上りリンク共用チャネルを用いた送信に関連する復調参照信号を生成するためのパラメータであって、端末装置固有の上位層パラメータを示す情報を受信するステップと、
コンテンションベースのランダムアクセスプロシージャと関係なく、物理上りリンク共用チャネルを用いてトランスポートブロックの送信を行う場合、少なくとも前記上位層パラメータを用いて、前記復調参照信号を生成するステップを少なくとも含むことを特徴とする端末装置の通信方法。
【請求項１０】
物理上りリンク共用チャネルを用いた送信に関連する復調参照信号を生成するためのパラメータであって、端末装置固有の上位層パラメータを示す情報を受信するステップと、
コンテンションベースのランダムアクセスプロシージャの一部として、物理上りリンク共用チャネルを用いた送信が、ランダムアクセスレスポンスグラントに対応する場合、前記パラメータの値を０として、前記復調参照信号を生成するステップとを少なくとも含むことを特徴とする端末装置の通信方法。
【請求項１１】
物理上りリンク共用チャネルに対する復調参照信号を生成するためのパラメータであって、端末装置固有の上位層パラメータを示す情報を送信するステップと、
コンテンションベースのランダムアクセスプロシージャと関係なく、物理上りリンク共用チャネルを用いてトランスポートブロックの送信を行う場合、前記上位層パラメータを用いて生成される前記復調参照信号に基づいて、該物理上りリンク共用チャネルを用いて送信される信号を復調するステップとを少なくとも含むことを特徴とする基地局装置の通信方法。
【請求項１２】
物理上りリンク共用チャネルを用いた送信に関連する復調参照信号を生成するためのパラメータであって、端末装置固有の上位層パラメータを示す情報を受信するステップと、
コンテンションベースのランダムアクセスプロシージャの一部として、物理上りリンク共用チャネルを用いた送信が、ランダムアクセスレスポンスグラントに対応する場合、前記上位層パラメータの値を０として生成される前記復調参照信号に基づいて、前記物理上りリンク共用チャネルを用いて送信される信号を復調するステップとを少なくとも含むことを特徴とする基地局装置の通信方法。
【発明の詳細な説明】
【技術分野】
【０００１】
本発明は、移動局装置、基地局装置および集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置から移動局装置への下りリンクの通信方式として、直交周波数分割多重（Orthogonal Frequency Division Multiplexing: OFDM）方式が用いられる。また、移動局装置から基地局装置への上りリンクの通信方式として、ＳＣ−ＦＤＭＡ（Single-Carrier Frequency Division Multiple Access）方式が用いられる。ここで、ＬＴＥでは、基地局装置をｅＮｏｄｅＢ（evolved NodeB）、移動局装置をＵＥ（User Equipment）とも呼称する。ＬＴＥは、基地局装置がカバーするエリアをセル状に複数配置するセルラー通信システムである。
【０００３】
ＬＴＥにおいて、基地局装置は、ＰＤＣＣＨ（Physical Downlink Control Channel）で送信される下りリンク制御情報（Downlink Control Information: DCI）を用いて上りリンクデータ（または、「uplink shared channel: UL-SCH」と称する。）送信用のチャネルであるＰＵＳＣＨ（Physical Uplink Shared Channel）の初期送信（initial transmission）または再送信(retransmission)を移動局装置に指示する。移動局装置は、受信した下りリンク制御情報に従ってＰＵＳＣＨを基地局装置へ送信する。移動局装置は、ＰＵＳＣＨと共にＤＭＲＳ（Demodulation Reference Signal: DMRS）を基地局装置へ送信する。ＤＭＲＳは、基地局装置において伝搬路推定などに用いられる。
【０００４】
ＬＴＥリリース１１では、移動局装置または基地局装置に対する干渉を軽減、抑制するための方法として、基地局装置（セルまたは送受信ポイント）間で互いに協調して干渉コーディネーションを行う協調マルチポイント送信／受信（Coordinated Multipoint Transmission/Reception: CoMP）をサポートすることが検討されている。送受信ポイントとは、信号の送信点および受信点を表している。例えば、送受信ポイントは、基地局装置であっても良い（非特許文献１）。
【０００５】
異なるセル（基地局装置または送受信ポイント）と通信する複数の移動局装置が、部分的に重複する周波数帯域上でＰＵＳＣＨを送信した場合には、隣接セルへの干渉が問題となる。図１１は、従来技術の移動局装置から隣接セルへの干渉信号を示す図である。図１１において、基地局装置Ａ（送受信ポイントＡ）がカバーするエリアはセルＡであり、基地局装置Ｂ（送受信ポイントＢ）がカバーするエリアはセルＢであり、移動局装置Ａは基地局装置Ａ（送受信ポイントＡ）に対してＰＵＳＣＨとＤＭＲＳとを送信し、移動局装置Ｂは基地局装置Ｂ（送受信ポイントＢ）に対してＰＵＳＣＨとＤＭＲＳとを送信する。図１１において、太線の矢印は所望信号を表し、点線の矢印は干渉信号を表す。
【０００６】
図１１において、基地局装置Ａがスケジュールした移動局装置ＡのＰＵＳＣＨの周波数帯域と、基地局装置Ｂがスケジュールした移動局装置ＢのＰＵＳＣＨの周波数帯域が部分的に重複する場合には、移動局装置Ａが送信したＰＵＳＣＨとＤＭＲＳとが基地局装置Ｂに対する干渉信号となり、移動局装置Ｂが送信したＰＵＳＣＨとＤＭＲＳとが基地局装置Ａに対する干渉信号となる。非特許文献１には、上記問題を解決するために、部分的に重複する周波数帯域上で複数の移動局装置がＰＵＳＣＨを送信する場合には、異なるＤＭＲＳのベースシーケンス（base sequence）を移動局装置のそれぞれに割当てることが記載されている。
【先行技術文献】
【非特許文献】
【０００７】
【非特許文献１】"TR36.819 version 11.0.0", 3GPP, September 27, 2011.
【非特許文献２】"Potential Enhancements for DMRS in Rel-11", 3GPP TSG RAN WG1 Meeting #66, R1-112086, August 22-26, 2011.
【発明の概要】
【発明が解決しようとする課題】
【０００８】
しかしながら、従来の技術では、ＰＵＳＣＨに対するＤＭＲＳのベースシーケンスは、セル固有のパラメータに応じて決定されており、同一のセルと通信する移動局装置のそれぞれに異なるベースシーケンスを割当てることができないという問題があった。
【０００９】
本発明は上記の点に鑑みてなされたものであり、その目的は、移動局装置が移動局装置固有のパラメータを用いてベースシーケンスを効率的に生成することができる移動局装置、基地局装置および集積回路を提供することを目的とする。
【課題を解決するための手段】
【００１０】
（１）上記の目的を達成するために、本発明は、以下のような手段を講じた。すなわち、本発明の移動局装置は、復調参照信号のシーケンスに関連するパラメータの値を示す情報を前記基地局装置から受信する受信部と、contention based random access procedureの一環として物理上りリンク共用チャネルの送信を行う場合は、前記値を用いずにシーケンスグループ番号を決定し、前記contention based random access procedureと関係なく前記物理上りリンク共用チャネルの送信を行う場合は、少なくとも前記値を用いて前記シーケンスグループ番号を決定し、少なくとも前記シーケンスグループ番号に基づいて前記復調参照信号の前記シーケンスを生成する生成部と、前記復調参照信号を前記物理上りリンク共用チャネルと共に送信する送信部と、を備える。
【００１１】
（２）また、本発明の基地局装置は、復調参照信号のシーケンスに関連するパラメータの値を示す情報を前記移動局装置へ送信する送信部と、復調参照信号を物理上りリンク共用チャネルと共に受信し、
contention based random access procedureの一環として受信した前記物理上りリンク共用チャネルを、前記移動局装置が前記値を用いずに決定したシーケンスグループ番号に少なくとも基づいて前記移動局装置が生成した前記シーケンスの前記復調参照信号で復調し、前記contention based random access procedureと関係なく受信した前記物理上りリンク共用チャネルを、前記移動局装置が少なくとも前記値を用いて決定したシーケンスグループ番号に少なくとも基づいて前記移動局装置が生成した前記シーケンスの前記復調参照信号で復調する受信部と、を備える。
【００１２】
（３）また、本発明の移動局装置に実装される集積回路は、復調参照信号のシーケンスに関連するパラメータの値を示す情報を前記基地局装置から受信する機能と、contention based random access procedureの一環として物理上りリンク共用チャネルの送信を行う場合は、前記値を用いずにシーケンスグループ番号を決定する機能と、前記contention based random access procedureと関係なく前記物理上りリンク共用チャネルの送信を行う場合は、少なくとも前記値を用いて前記シーケンスグループ番号を決定する機能と、少なくとも前記シーケンスグループ番号に基づいて前記復調参照信号の前記シーケンスを生成する機能と、前記復調参照信号を前記物理上りリンク共用チャネルと共に送信する機能と、を前記移動局装置に発揮させる。
【００１３】
（４）また、本発明の基地局装置実装される集積回路は、復調参照信号のシーケンスに関連するパラメータの値を示す情報を前記移動局装置へ送信する機能と、復調参照信号を物理上りリンク共用チャネルと共に受信する機能と、contention based random access procedureの一環として受信した前記物理上りリンク共用チャネルを、前記移動局装置が前記値を用いずに決定したシーケンスグループ番号に少なくとも基づいて前記移動局装置が生成した前記シーケンスの前記復調参照信号で復調する機能と、前記contention based random access procedureと関係なく受信した前記物理上りリンク共用チャネルを、前記移動局装置が少なくとも前記値を用いて決定したシーケンスグループ番号に少なくとも基づいて前記移動局装置が生成した前記シーケンスの前記復調参照信号で復調する機能と、を備える。
【発明の効果】
【００１４】
この発明によれば、移動局装置が移動局装置固有のパラメータを用いてベースシーケンスを効率的に生成することができる。
【図面の簡単な説明】
【００１５】
【図１】本発明の無線通信システムの概念図である。
【図２】本発明の移動局装置１の構成を示す概略ブロック図である。
【図３】本発明の基地局装置３の構成を示す概略ブロック図である。
【図４】本発明の下りリンクの無線フレームの構成の一例を示す概略図である。
【図５】本発明の上りリンクの無線フレームの構成の一例を示す概略図である。
【図６】本発明のＰＵＳＣＨとＤＭＲＳを物理リソースにマップする方法の一例を示す図である。
【図７】本発明の長さが１２のφ(・)を示す表である。
【図８】本発明の長さが２４のφ(・)を示す表である。
【図９】本発明のメッセージ３の初期送信および再送信の手順の一例を説明する図である。
【図１０】本発明の移動局装置１によるＤＭＲＳシーケンスの送信に関する処理の一例を示すフローチャート図である。
【図１１】従来技術の移動局装置から隣接セルへの干渉信号を示す図である。
【発明を実施するための形態】
【００１６】
（第１の実施形態）
以下、図面を参照しながら本発明の第１の実施形態について詳しく説明する。
【００１７】
まず、本発明の物理チャネルについて説明する。
【００１８】
図１は、本発明の無線通信システムの概念図である。図１において、無線通信システムは、移動局装置１Ａ〜１Ｃ、および基地局装置３を具備する。図１は、基地局装置３から移動局装置１Ａ〜１Ｃへの下りリンクの無線通信では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が用いられることを示す。
【００１９】
また、図１は、移動局装置１Ａ〜１Ｃから基地局装置３への上りリンクの無線通信では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が用いられることを示す。以下、移動局装置１Ａ〜１Ｃを移動局装置１という。
【００２０】
同期信号は、移動局装置１が下りリンクの周波数領域および時間領域の同期をとるために用いられる信号である。下りリンク参照信号は、移動局装置１が下りリンクの周波数領域および時間領域の同期をとるために用いられたり、移動局装置１が下りリンクの受信品質を測定するために用いられたり、移動局装置１がＰＤＳＣＨやＰＤＣＣＨの伝搬路補正を行なうために用いられる信号である。ＰＢＣＨは、移動局装置１で共通に用いられる制御パラメータ（システム情報）（Broadcast Channel: BCH）を報知するために用いられる物理チャネルである。ＰＢＣＨは、４０ms間隔で送信される。４０ms間隔のタイミングは、移動局装置１においてブラインド検出（blind detection）される。
【００２１】
ＰＤＣＣＨは、下りリンクアサインメント（downlink assignment、またはdownlink grantとも称する。）や上りリンクグラント（uplink grant）などの下りリンク制御情報（Downlink Control Information: DCI）を送信するために用いられる物理チャネルである。下りリンクアサインメントは、ＰＤＳＣＨに対する変調方式および符号化率に関する情報（Modulation and Coding Scheme: MCS）、無線リソースの割り当てを示す情報などから構成される。上りリンクグラントは、ＰＵＳＣＨに対する変調方式および符号化率に関する情報、無線リソースの割り当てを示す情報などから構成される。
【００２２】
下りリンク制御情報には複数のフォーマットが用いられる。下りリンク制御情報のフォーマットをＤＣＩフォーマット（DCI format）と呼ぶ。例えば、上りリンクグラントのＤＣＩフォーマットは、移動局装置１がＰＵＳＣＨを１つの送信アンテナポートで送信する場合に用いられるＤＣＩフォーマット０、移動局装置１がＰＵＳＣＨにＭＩＭＯ  ＳＭ（Multiple Input Multiple Output Spatial Multiplexing）を用いて複数の上りリンクデータを送信する場合に用いられるＤＣＩフォーマット４などが用意される。移動局装置１は、ＰＤＣＣＨに対してＤＣＩフォーマット０とＤＣＩフォーマット４を同時に監視し、ＤＣＩフォーマット０を検出した場合はＰＵＳＣＨを１つの送信アンテナポートを用いて送信し、ＤＣＩフォーマット４を検出した場合はＰＵＳＣＨを複数の送信アンテナポート（ＭＩＭＯ  ＳＭ）を用いてＰＵＳＣＨを送信する。
【００２３】
ＭＩＭＯ  ＳＭとは、複数の送信アンテナポートおよび複数の受信アンテナポートにより実現される複数の空間次元のチャネルに対して複数の信号が多重されて送受信が行なわれる技術である。ここで、アンテナポートとは信号処理に用いられる論理的なアンテナのことを示す、１つのアンテナポートは１つの物理的なアンテナにより構成されてもよいし、複数の物理的なアンテナにより構成されてもよい。ＭＩＭＯ  ＳＭを用いた送信側では、複数の信号系列（レイヤ）に対して適切な空間チャネルを形成するための処理（プリコーディング（precoding）と称す）が行われて、プリコーディングの処理が行なわれた複数の信号を複数の送信アンテナを用いて送信する。ＭＩＭＯ  ＳＭを用いた受信側では、複数の受信アンテナを用いて受信された複数の信号に対して空間次元のチャネルで多重された信号系列（レイヤ）を適切に分離するための処理が行なわれる。
【００２４】
例えば、ＤＣＩフォーマット４には、ＰＵＳＣＨの無線リソースの割り当てを示す情報（Resource block assignment）と、ＰＵＳＣＨの送信電力制御に用いられるＴＰＣ（Transmission Power Control）コマンドと、ＰＵＳＣＨと時間多重される上りリンク参照信号に用いられるサイクリックシフトを決定するために用いられる情報（以下、サイクリックシフト情報と称する。）（Cyclic shift for demodulation reference signal）と、空間多重される系列の数と、この系列に対して行なうプリコーディングを指示する情報（precoding information）、変調方式と符号化方式とリダンダンシーバージョンに関する情報（Modulation and Coding Scheme and Redundancy version: MCS&RV）と、上りリンクデータの初期送信（initial transmission）または再送信（retransmission）を示す情報（New Data Indicator: NDI）が含まれる。リダンダンシーバージョンは、移動局装置１が、上りリンクデータが符号化されたビット系列のうち、どの部分をＰＵＳＣＨで送信するかを示す情報である。
【００２５】
ＤＣＩフォーマット４に含まれるＭＣＳ＆ＲＶとＮＤＩは、ＤＣＩフォーマット４によって制御される複数の上りリンクデータ毎に用意される。つまり、基地局装置３は、ＤＣＩフォーマット４を用いることで、同一のＰＵＳＣＨで送信される上りリンクデータ毎にトランスポートブロックサイズ、変調方式、符号化率を設定することができ、上りリンクデータ毎に初期送信か再送信かを移動局装置１に指示することができる。
【００２６】
下りリンク制御情報の符号化方法について説明する。まず基地局装置３は、下りリンク制御情報を基に生成した巡回冗長検査（Cyclic Redundancy Check: CRC）符号をＲＮＴＩ（Radio Network Temporary Identifier）でスクランブル（scramble）した系列を下りリンク制御情報に付加する。移動局装置１は、巡回冗長検査符号がいずれのＲＮＴＩでスクランブルされているかによって下りリンク制御情報の解釈を変更する。
【００２７】
例えば、移動局装置１は、自装置が基地局装置３から割り当てられたＣ−ＲＮＴＩ（Cell-Radio Network Temporary Identifier）で巡回冗長検査符号がスクランブルされていた場合は、下りリンク制御情報が自装置宛の無線リソースを示していると判断し、自装置が基地局装置３から割り当てられたＳＰＳ（Semi Persistent Scheduling）Ｃ−ＲＮＴＩで巡回冗長検査符号がスクランブルされていた場合は、下りリンク制御情報が自装置宛の永続的（周期的）な無線リソースの割り当て、または永続的な無線リソースのリリース、または永続的な無線リソースで送信したＰＵＳＣＨの再送を示していると判断する。
【００２８】
移動局装置１は、ランダムアクセスメッセージ２で自装置が送信したランダムアクセスプリアンブルに対して割り当てられたＴｅｍｐｏｒａｒｙ  Ｃ−ＲＮＴＩで巡回冗長検査符号がスクランブルされていた場合は、下りリンク制御情報が自装置送信したランダムアクセスメッセージ３の再送用の無線リソースを示していると判断する。ランダムアクセスの詳細は後述する。
【００２９】
以下、下りリンク制御情報にＲＮＴＩでスクランブルされた巡回冗長検査符号が付加されていることを、単に下りリンク制御情報にＲＮＴＩが含まれている、またはＰＤＣＣＨにＲＮＴＩが含まれていると表現する。
【００３０】
移動局装置１は、ＰＤＣＣＨをデコード処理し、ＲＮＴＩでスクランブルされた巡回冗長検査符号に相当する系列を自装置が記憶するＲＮＴＩでデスクランブル（descramble）し、デスクランブルした巡回冗長検査符号に基づき誤りがないことを検出した場合にＰＤＣＣＨの取得に成功したと判断する。この処理をブラインドデコーディング（blind decoding）と呼ぶ。
【００３１】
ＰＤＳＣＨは、ページング情報（Paging Channel: PCH）やＰＢＣＨで報知されない、つまりＢＣＨ以外のシステム情報や下りリンクデータ（Downlink Shared Channel: DL-SCH）を送信するために用いられる物理チャネルである。ＰＭＣＨは、ＭＢＭＳ（Multimedia Broadcast and Multicast Service）に関する情報（Multicast Channel: MCH）を送信するために用いられる物理チャネルである。ＰＣＦＩＣＨは、ＰＤＣＣＨが配置される領域を示す情報を送信するために用いられる物理チャネルである。
【００３２】
ＰＨＩＣＨは、基地局装置３が受信した上りリンクデータの復号の成否を示すＨＡＲＱインディケータを送信するために用いられる物理チャネルである。ＨＡＲＱインディケータは、ＡＣＫ（acknowledgement）またはＮＡＣＫ（negative-acknowledgement）を示す。尚、同一のＰＵＳＣＨに含まれる複数の上りリンクデータのそれぞれに対するＨＡＲＱインディケータが、複数のＰＨＩＣＨで送信される。移動局装置１は、上りリンクデータに対するＮＡＣＫを示すＨＡＲＱインディケータを受信した場合には、該上りリンクデータに対する最近の上りリンクグラント（最後に受信した上りリンクグラント）に基づいて該上りリンクデータをＰＵＳＣＨで再送信する。尚、移動局装置１が、ＨＡＲＱインディケータと上りリンクグラントを同時に受信した場合には、上りリンクグラントに従って上りリンクデータをＰＵＳＣＨで送信する。
【００３３】
ＰＵＣＣＨは、下りリンクのチャネル品質を示すチャネル品質情報（Channel Quality Information）、上りリンクの無線リソースの割り当ての要求を示すスケジューリング要求（Scheduling Request: SR）、移動局装置１が受信した下りリンクデータの復号の成否を示すＡＣＫ／ＮＡＣＫなど、通信の制御に用いられる情報である上りリンク制御情報（Uplink Control Information: UCI）を送信するために用いられる物理チャネルである。
【００３４】
ＰＵＳＣＨは、上りリンクデータや上りリンク制御情報を送信するために用いられる物理チャネルである。ＰＲＡＣＨは、ランダムアクセスプリアンブルを送信するために使用される物理チャネルである。ＰＲＡＣＨは、移動局装置１が基地局装置３と時間領域の同期をとることを最大の目的とし、その他に、初期アクセス、ハンドオーバ、再接続要求、および上りリンクの無線リソースの割り当ての要求に用いられる。
【００３５】
上りリンク参照信号は、基地局装置３が上りリンクの時間領域の同期をとるために用いられたり、基地局装置３が上りリンクの受信品質を測定するために用いられたり、基地局装置３がＰＵＳＣＨやＰＵＣＣＨの伝搬路補正を行なうために用いられる信号である。上りリンク参照信号には、ＰＵＳＣＨまたはＰＵＣＣＨと時間多重されて送信される復調参照信号（Demodulation Reference Signal: DMRS）と、ＰＵＳＣＨおよびＰＵＣＣＨとは独立して送信されるサウンディング参照信号（Sounding Reference Signal: SRS）がある。
【００３６】
上りリンク参照信号は、ＣＡＺＡＣ（Constant Amplitude and Zero Auto-Correlation）系列を用いた符号拡散が行われる。ＣＡＺＡＣ系列とは、時間領域および周波数領域において一定振幅かつ自己相関特性に優れた系列のことである。時間領域で一定振幅であることからＰＡＰＲ（Peak to Average Power Ratio）を低く抑えることが可能である。以下、ＣＡＺＡＣ系列をベースシーケンス（base sequence）と称する。上りリンク参照信号には、時間領域において巡回遅延が適用される。この時間領域における巡回遅延のことをサイクリックシフトと称する。周波数領域においてベースシーケンスをサブキャリア単位で位相回転することにより、時間領域でサイクリックシフトされた信号を得ることができる。尚、周波数領域における位相回転量のことを、サイクリックシフト量、または単にサイクリックシフトとも称する。
【００３７】
ＤＭＲＳの生成には、サイクリックシフトだけでなくＯＣＣ（Orthogonal Cover Code）が用いられる。ＯＣＣは、ＤＭＲＳを時間領域のＳＣ−ＦＤＭＡシンボル単位で符号拡散をする系列（拡散符号）である。本発明では、ＯＣＣは、［＋１，＋１］と［＋１，−１］の２つを用いる。ＤＭＲＳに用いるＯＣＣは、上りリンクグラントに含まれるサイクリックシフト情報を用いて決定される。ＤＭＲＳの生成に用いるサイクリックシフトの位相回転量は、上りリンクグラントに含まれるサイクリックシフト情報と、基地局装置３から通知される基地局装置固有（セル固有または受信ポイント固有）のパラメータと、基地局装置３が管理するセルがネットワークから割り当てられた物理セル識別子（physical cell identity）などを入力とする乱数から決定される。
【００３８】
移動局装置１間でＤＭＲＳのベースシーケンスが同じになった場合、各セルの基地局装置３は、隣接セルに属した移動局装置１からの送信信号が干渉となる。そこで、移動局装置１間でＤＭＲＳのベースシーケンスが連続して同じなることを回避するために、スロット間で異なるシーケンスグループ番号およびベースシーケンス番号となるようにシーケンスグループホッピング（sequence group hopping）とシーケンスホッピング（sequence hopping）が適用される。
【００３９】
上りリンクデータ（ＵＬ−ＳＣＨ）および下りリンクデータ（ＤＬ−ＳＣＨ）などは、トランスポートチャネルである。上りリンクデータをＰＵＳＣＨで送信する単位および下りリンクデータをＰＤＳＣＨで送信する単位は、トランスポートブロック（transport block）と呼ばれる。トランスポートブロックは、ＭＡＣ（Media Access Control）層で取り扱われる単位であり、トランスポートブロック毎にＨＡＲＱ（再送信）の制御が行なわれる。
【００４０】
物理層ではトランスポートブロックはコードワードに対応付けられ、コードワード毎に符号化などの信号処理が行なわれる。トランスポートブロックサイズは、トランスポートブロックのビット数である。移動局装置１は上りリンクグラントや下りリンクアサインメントに含まれる無線リソース割り当てを示す情報によって示される物理リソースブロック（Physical Resource Block; PRB）の数とＭＣＳ（ＭＣＳ＆ＲＶ）からトランスポートブロックサイズを認識する。
【００４１】
以下、本発明の装置構成について説明する。
【００４２】
図２は、本発明の移動局装置１の構成を示す概略ブロック図である。図示するように、移動局装置１は、上位層処理部１０１、制御部１０３、受信部１０５、送信部１０７および、送受信アンテナ１０９を含んで構成される。また、上位層処理部１０１は、無線リソース制御部１０１１、スケジューリング情報解釈部１０１３を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００４３】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００４４】
上位層処理部１０１が備える無線リソース制御部１０１１は、自装置の各種設定情報の管理を行なう。例えば、無線リソース制御部１０１１は、Ｃ−ＲＮＴＩなどのＲＮＴＩの管理やＰＵＳＣＨに対するＤＭＲＳシーケンスの生成に用いられるパラメータの管理を行なう。また、無線リソース制御部１０１１は、上りリンクの各チャネルに配置される情報を生成し、送信部１０７に出力する。
【００４５】
上位層処理部１０１が備えるスケジューリング情報解釈部１０１３は、受信部１０５を介して受信した物理チャネル（ＰＵＳＣＨやＰＤＳＣＨなど）のスケジューリングに用いられる情報の解釈をし、前記情報を解釈した結果に基づき、受信部１０５、および送信部１０７の制御を行なうために制御情報を生成し、制御部１０３に出力する。
【００４６】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００４７】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００４８】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【００４９】
多重分離部１０５５は、抽出した信号をＰＨＩＣＨ、ＰＤＣＣＨ、ＰＤＳＣＨ、および下りリンク参照信号に、それぞれ分離する。尚、この分離は、下りリンク制御情報で通知された無線リソースの割り当て情報などに基づいて行われる。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【００５０】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【００５１】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクアサインメントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００５２】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【００５３】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００５４】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【００５５】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭを用いることにより同一のＰＵＳＣＨで送信される複数の上りリンクデータを、複数の系列にマッピングし、この系列に対してプレコーディング（precoding）を行なう。
【００５６】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）し、ＰＵＣＣＨとＰＵＳＣＨの信号と生成した上りリンク参照信号を送信アンテナポート毎に多重する。
【００５７】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００５８】
図３は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３と制御情報生成部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００５９】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００６０】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置１各々の各種設定情報の管理をする。例えば、無線リソース制御部３０１１は、移動局装置１にＣ−ＲＮＴＩを割り当てるなどＲＮＴＩの管理や移動局装置１に通知するＰＵＳＣＨに対するＤＭＲＳシーケンスの生成に用いられるパラメータの管理などを行なう。
【００６１】
上位層処理部３０１が備えるスケジューリング部３０１３は、チャネル測定部３０５９から入力された伝搬路の推定値やチャネルの品質などから、物理チャネルを割り当てる周波数およびサブフレーム、物理チャネルの符号化率および変調方式および送信電力などを決定する。スケジューリング部３０１３は、スケジューリング結果に基づき、受信部３０５、および送信部３０７の制御を行なうために制御情報を生成し、制御部３０３に出力する。また、スケジューリング部３０１３は、物理チャネル（ＰＤＳＣＨ、ＰＵＳＣＨ）のスケジューリング結果を制御情報生成部３０１５へ出力する。
【００６２】
制御情報生成部３０１５は、スケジューリング部３０１３から入力されたスケジューリング結果に基づき、物理チャネル（ＰＤＳＣＨ、ＰＵＳＣＨ）のスケジューリングに用いられる情報を生成し、送信部へ出力する。
【００６３】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００６４】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００６５】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【００６６】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【００６７】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【００６８】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【００６９】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【００７０】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【００７１】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。
【００７２】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【００７３】
以下、本発明の無線フレームの構成について説明する。
【００７４】
図４は、本発明の下りリンクの無線フレームの構成の一例を示す概略図である。図４において、横軸は時間領域、縦軸は周波数領域である。図４に示すように、下りリンクの無線フレームは、複数の下りリンクの物理リソースブロック（Physical Resource Block; PRB）ペア（例えば、図４の破線で囲まれた領域）から構成されている。この下りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００７５】
１個の下りリンクの物理リソースブロックペアは、時間領域で連続する２個の下りリンクの物理リソースブロック（PRB帯域幅×スロット）から構成される。１個の下りリンクの物理リソースブロック（図４において、太線で囲まれている単位）は、周波数領域において１２個のサブキャリア（１５kHz）から構成され、時間領域において７個のＯＦＤＭ（Orthogonal Frequency Division Multiplexing）シンボル（７１μs）から構成される。周波数領域において１つのサブキャリアと、時間領域において１つのＯＦＤＭシンボルとによって定義される１つのグリッドを下りリンクリソースエレメントと称する。ゆえに、１つの下りリンクの物理リソースブロックは “１２×７”の下りリンクリソースエレメントによって構成される。
【００７６】
時間領域においては、７個のＯＦＤＭシンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である1msのことを、送信時間間隔（Transmit Time Interval: TTI）とも称する。周波数領域においては、下りリンクの帯域幅に応じて複数の下りリンクの物理リソースブロックが配置される。
【００７７】
以下、下りリンクに割り当てられる物理チャネルの配置について説明する。下りリンクの各サブフレームには、ＰＤＣＣＨ、ＰＣＦＩＣＨ、ＰＨＩＣＨ、ＰＤＳＣＨ、および下りリンク参照信号などが配置される。ＰＤＣＣＨはサブフレームの先頭のＯＦＤＭシンボルから（図４において、右下から左上への斜線でハッチングがされた領域）配置される。ＰＤＣＣＨが配置されるＯＦＤＭシンボルの数はサブフレーム毎に異なり、ＰＤＣＣＨが配置されるＯＦＤＭシンボルの数を示す情報はＰＣＦＩＣＨで報知される。各サブフレームでは、複数のＰＤＣＣＨが周波数多重および時間多重される。
【００７８】
ＰＣＦＩＣＨはサブフレームの先頭のＯＦＤＭシンボルに配置され、ＰＤＣＣＨと周波数多重される。ＰＨＩＣＨは、ＰＤＣＣＨと同一のＯＦＤＭシンボル内で周波数多重される（図４において、斜めの格子状の線でハッチングがされた領域）。ＰＨＩＣＨは、サブフレームの先頭のＯＦＤＭシンボルのみに配置されてもよいし、ＰＤＣＣＨが配置される複数のＯＦＤＭシンボルに分散して配置されてもよい。各サブフレームでは、複数のＰＨＩＣＨが周波数多重および符号多重される。
【００７９】
移動局装置１は、ＰＵＳＣＨを送信してから所定の時間後（例えば、４ms後、４サブフレーム後、４ＴＴＩ後）の下りリンクのサブフレームのＰＨＩＣＨで、このＰＵＳＣＨに対するＨＡＲＱフィードバックを受信する。ＰＵＳＣＨに対するＨＡＲＱインディケータが下りリンクのサブフレーム内のいずれのＰＨＩＣＨに配置されるかは、このＰＵＳＣＨに割り当てられた物理リソースブロックのうち、最も番号の小さい（最も低い周波数領域の）物理リソースブロックの番号および、上りリンクグラントに含まれる、ＰＵＳＣＨと時間多重される上りリンク参照信号に用いられるサイクリックシフトを決定するために用いられる情報から決定される。
【００８０】
ＰＤＳＣＨは、サブフレームのＰＤＣＣＨおよびＰＣＦＩＣＨおよびＰＨＩＣＨが配置されるＯＦＤＭシンボル以外のＯＦＤＭシンボル（図４において、ハッチングがされない領域）に配置される。ＰＤＳＣＨの無線リソースは、下りリンクアサインメントを用いて割り当てられる。ＰＤＳＣＨの無線リソースは、時間領域において、このＰＤＳＣＨの割り当てに用いられた下りリンクアサインメントを含むＰＤＣＣＨと同一の下りリンクのサブフレームに配置される。各サブフレームでは、複数のＰＤＳＣＨが周波数多重および空間多重される。下りリンク参照信号については、説明の簡略化のため図４において図示を省略するが、下りリンク参照信号は周波数領域と時間領域において分散して配置される。
【００８１】
図５は、本発明の上りリンクの無線フレームの構成の一例を示す概略図である。図５において、横軸は時間領域、縦軸は周波数領域である。図５に示すように、上りリンクの無線フレームは、複数の上りリンクの物理リソースブロックペア（例えば、図５の破線で囲まれた領域）から構成されている。この上りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００８２】
１個の上りリンクの物理リソースブロックペアは、時間領域で連続する２個の上りリンクの物理リソースブロック（PRB帯域幅×スロット）から構成される。１個の上りリンクの物理リソースブロック（図５において、太線で囲まれている単位）は、周波数領域において１２個のサブキャリア（１５kHz）から構成され、時間領域において７個のＳＣ−ＦＤＭＡシンボル（７１μs）から構成される。尚、周波数領域において１つのサブキャリアと、時間領域において１つのＳＣ−ＦＤＭＡシンボルとによって定義される１つのグリッドを上りリンクリソースエレメントと称する。ゆえに、１つの上りリンクの物理リソースブロックは “１２×７”の上りリンクリソースエレメントによって構成される。
【００８３】
時間領域においては、７個のＳＣ−ＦＤＭＡ（Single-Carrier Frequency Division Multiple Access）シンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である1msのことを、送信時間間隔（Transmit Time Interval: TTI）とも称する。周波数領域においては、上りリンクの帯域幅に応じて複数の上りリンクの物理リソースブロックが配置される。
【００８４】
以下、上りリンクの無線フレーム内に割り当てられる物理チャネルについて説明する。上りリンクの各サブフレームには、ＰＵＣＣＨ、ＰＵＳＣＨ、ＰＲＡＣＨおよび上りリンク参照信号などが配置される。ＰＵＣＣＨは、上りリンクの帯域の両端の上りリンクの物理リソースブロック（右下から左上への斜線でハッチングがされた領域）に配置される。各サブフレームでは、複数のＰＵＣＣＨが周波数多重および符号多重される。
【００８５】
ＰＵＳＣＨは、ＰＵＣＣＨが配置される上りリンクの物理リソースブロック以外の上りリンクの物理リソースブロックペア（ハッチングがされない領域）に配置される。ＰＵＳＣＨの無線リソースは、上りリンクグラントを用いて割り当てられ、この上りリンクグラントを含むＰＤＣＣＨが配置された下りリンクのサブフレームから所定の時間後（例えば、４ms後、４サブフレーム後、４ＴＴＩ後）の上りリンクのサブフレームに配置される。各サブフレームでは、複数のＰＵＳＣＨが周波数多重および空間多重される。
【００８６】
ＰＲＡＣＨが配置されるサブフレームおよび上りリンクの物理リソースブロックを示す情報は、基地局装置によって報知される。上りリンク参照信号は、ＰＵＣＣＨやＰＵＳＣＨと時間多重される。例えば、ＰＵＳＣＨと時間多重されるＤＭＲＳは、サブフレーム内の４番目と１１番目のＳＣ−ＦＤＭＡシンボルに配置される。
【００８７】
以下、本発明のＤＭＲＳの送信方法について説明する。
【００８８】
図６は、本発明のＰＵＳＣＨとＤＭＲＳを物理リソースにマップする方法の一例を示す図である。図６において、横軸は時間領域、縦軸は周波数領域である。ＭPUSCHSCは、ＰＵＳＣＨ送信のためにスケジュールされた帯域幅に含まれるサブキャリアの数である。図６において、左上から右下への斜辺でハッチングされた四角はＤＭＲＳシーケンスがマップされるリソースエレメントであり、ドットでハッチングされた四角はＰＵＳＣＨの変調シンボル（複素シンボル）がマップされるリソースエレメントである。図６では、時間領域において１つのサブフレームを示す。
【００８９】
図６に示すように、ＰＵＳＣＨのＤＭＲＳシーケンスr(λ)PUSCH(・)は、周波数領域において対応するＰＵＳＣＨの送信と同一の物理リソースブロック（リソースエレメント）にマップされる。また、ＰＵＳＣＨのＤＭＲＳシーケンスr(λ)PUSCH(・)は、時間領域において各スロットの第３のＳＣ−ＦＤＭＡシンボルにマップされる。つまり、移動局装置１は、ＰＵＳＣＨとＰＵＳＣＨのＤＭＲＳシーケンスを時間多重して送信する。つまり、移動局装置１は、ＰＵＳＣＨのＳＣ−ＦＤＭＡシンボルとＤＭＲＳシーケンスのＳＣ−ＦＭＤＡシンボルを時間多重して送信する。λは、単一のＰＵＳＣＨ内において空間多重されるレイヤの番号である。すなわち、ＰＵＳＣＨのＤＭＲＳシーケンスr(λ)PUSCH(・)は空間多重されるレイヤのそれぞれに対して生成される。ＰＵＳＣＨのＤＭＲＳシーケンスr(λ)PUSCH(・)は、ＲＳ（reference signal）シーケンスr(αλ)u,ν(・)にＯＣＣ[w(λ)(0), w(λ)(1)]を乗算することによって生成される。ＲＳシーケンスr(αλ)u,ν(・)は、ベースシーケンスr’u,ν(・)にサイクリックシフトejαλnを乗算することによって生成される。
【００９０】
以下、本発明のＤＭＲＳの生成方法について説明する。
【００９１】
レイヤλに関連するＰＵＳＣＨのＤＭＲＳシーケンスr(λ)PUSCH(・)は、数式（１）によって定義される。MRSSCは、ＤＭＲＳシーケンスの長さである。MRSSCとMPUSCHSCとは等しい。
【００９２】
【数１】
0005941401.tif 000002
【００９３】
レイヤλに関連するＲＳシーケンスr(αλ)u,ν(n)は、数式（２）に応じてベースシーケンスr’u,ν(・)とサイクリックシフトαによって定義される。異なる値のαによって、単一のベースシーケンスから複数のＲＳシーケンスが定義される。同じ移動局装置１のレイヤλそれぞれに対するαλは異なる値を持つ。
【００９４】
【数２】
0005941401.tif 000003
【００９５】
ベースシーケンスr’u,ν(n)は、複数のグループに分割される。ｕはシーケンスグループ番号であり、νは該グループ内のベースシーケンス番号である。ベースシーケンスの長さが６０以下の場合には、該グループそれぞれは１つのベースシーケンス（ν＝０）を含む。ベースシーケンスの長さが６１以上の場合には、該グループそれぞれは２つのベースシーケンス（ν＝０，１）を含む。シーケンスグループ番号ｕとベースシーケンス番号νは、シーケンスグループホッピングとシーケンスホッピングを用いることで時間によって変化させることができる。シーケンスグループホッピングおよびシーケンスホッピングの詳細は後述する。ベースシーケンスr’u,ν(0),…, r’u,ν(MRSSC -1)の定義はＤＭＲＳシーケンスの長さMRSSCによって決まる。
【００９６】
DMRSシーケンスの長さが３６以上の場合には、ベースシーケンスr’u,ν(・)は、数式（３）によって定義される。
【００９７】
【数３】
0005941401.tif 000004
【００９８】
xq(・)は、ｑ番目のルートZadoff-Chuシーケンスであり、数式（４）によって定義される。ＮRSZCは、Zadoff-Chuシーケンスの長さである。Zadoff-Chuシーケンスの長さＮRSZCは、DMRSシーケンスの長さMRSSCよりも小さい、最大の素数である。[Ｘ] ｍｏｄ [Ｙ]は、[Ｘ]を[Ｙ]で割った場合の余りを求める関数である。
【００９９】
【数４】
0005941401.tif 000005
【０１００】
qは、数式（５）と数式（６）とに応じてシーケンスグループ番号ｕと該グループ内のベースシーケンス番号νから算出される。floor(X)は、Ｘ以下の最大の整数を出力する関数である。
【０１０１】
【数５】
0005941401.tif 000006
【０１０２】
【数６】
0005941401.tif 000007
【０１０３】
DMRSシーケンスの長さが１２と２４との場合には、ベースシーケンスr’u,ν(・)は、数式（７）によって定義される。φ(・)は、DMRSシーケンスの長さが１２と２４とのそれぞれに対して図７に示す表と図８に示す表とで定義される。
【０１０４】
【数７】
0005941401.tif 000008
【０１０５】
複数のＤＭＲＳシーケンスが同じシーケンスグループ番号とベースシーケンス番号とから生成され、同じ長さであり、同じ帯域で送信される場合には、該複数のＤＭＲＳシーケンスは異なるサイクリックシフトを用いることで直交する。複数のＤＭＲＳシーケンスが、シーケンスグループ番号とベースシーケンス番号との異なる組合せから生成される、または複数のＤＭＲＳシーケンスの長さが異なる、または複数のＤＭＲＳシーケンスが一部重複する帯域で送信される場合には、該複数のＤＭＲＳシーケンスは異なるサイクリックシフトを用いたとしても直交しない。
【０１０６】
複数のＤＭＲＳシーケンスが、シーケンスグループ番号とベースシーケンス番号との異なる組合せから生成される場合には、複数のＤＭＲＳシーケンスが同じシーケンスグループ番号とベースシーケンス番号とから生成される場合と比較して、該複数のＤＭＲＳシーケンスは相互相関が低くなる。
【０１０７】
また、ＤＭＲＳシーケンスのシーケンスグループ番号とベースシーケンス番号およびＤＭＲＳが送信される帯域が重複しているかに関わらず、複数のＤＭＲＳシーケンスは異なるＯＣＣを用いることで直交する。しかしながら、移動局装置１の移動に伴うドップラ周波数の影響により、ＯＣＣによるＤＭＲＳシーケンス間の直交が崩れてしまうことがある。
【０１０８】
そこで、異なるＯＣＣによって直交している複数のＤＭＲＳシーケンスが、同じシーケンスグループ番号とベースシーケンス番号とから生成され、同じ長さであり、同じ帯域で送信される場合には、該複数のＤＭＲＳシーケンスに対して異なるサイクリックシフトを用いることが好ましい。これにより、移動局装置１の移動に伴うドップラ周波数の影響によりＯＣＣによるＤＭＲＳシーケンス間の直交が崩れた場合にも、サイクリックシフトによってＤＭＲＳシーケンス間の直交を保つことができる。
【０１０９】
また、異なるＯＣＣによって直交している複数のＤＭＲＳシーケンスが、シーケンスグループ番号とベースシーケンス番号との異なる組合せから生成される場合には、移動局装置１の移動に伴うドップラ周波数の影響によりＯＣＣによるＤＭＲＳシーケンス間の直交が崩れたとしても、複数のＤＭＲＳシーケンスが同じシーケンスグループ番号とベースシーケンス番号とから生成される場合と比較して、該複数のＤＭＲＳシーケンスは相互相関が低くなる。
【０１１０】
以下、本発明のシーケンスグループホッピングについて説明する。
【０１１１】
スロットnsにおけるシーケンスグループ番号は、数式（８）に応じてグループホッピングパターンfgh(ns)とシーケンスシフトパターンfssとＰＤＣＣＨで送信される情報から決定される移動局装置固有のパラメータf(1)DMRSと上位層によって設定される移動局装置固有のパラメータf(2)DMRSとによって定義される。
【０１１２】
【数８】
0005941401.tif 000009
【０１１３】
移動局装置１は、上位層によって与えられるセル固有のパラメータGroup-hopping-enabledに応じてシーケンスグループホッピングの有効（enabled）または無効(disabled)を決定する。Group-hopping-enabledに応じてシーケンスグループホッピングを有効（enabled）としていたとしても、移動局装置１は上位層によって与えられる移動局装置固有のパラメータDisable-sequence-group-hoppingに応じてＰＵＳＣＨに対するシーケンスグループホッピングを無効（disabled）とすることができる。グループホッピングパターンfgh(ns)は、数式（９）によって定義される。
【０１１４】
【数９】
0005941401.tif 000010
【０１１５】
c(・)は、擬似乱数シーケンス（Pseudo-random sequence）である。擬似乱数シーケンスは、長さ３１のゴールドシーケンスによって定義される。グループホッピングパターンfgh(ns)の擬似乱数シーケンスc(・)は、数式（１０）によって算出されるcinitによって無線フレームそれぞれの始まりに初期化される。NcellIDは、物理セル識別子である。擬似乱数シーケンスの生成方法は後述する。
【０１１６】
【数１０】
0005941401.tif 000011
【０１１７】
シーケンスシフトパターンfssの定義は、ＰＵＳＣＨとＰＵＣＣＨ間で異なる。ＰＵＣＣＨに対して、シーケンスシフトパターンfssは、数式（１１）によって与えられる。
【０１１８】
【数１１】
0005941401.tif 000012
【０１１９】
ＰＵＳＣＨに対して、シーケンスシフトパターンfssは、数式（１２）によって与えられる。Δssは、上位層によって設定されるセル固有のパラメータであり、０から２９の範囲内の整数である。
【０１２０】
【数１２】
0005941401.tif 000013
【０１２１】
パラメータf(1)DMRSに関する情報は、ＰＵＳＣＨのスケジューリングに用いられる上りリンクグラント（ＤＣＩフォーマット０および／またはＤＣＩフォーマット４）を用いて基地局装置３から移動局装置１へ送信される。尚、上りリンクグラント（ＤＣＩフォーマット０および／またはＤＣＩフォーマット４）を用いて、ＤＭＲＳに対するサイクリックシフトに関するパラメータとf(1)DMRS関するパラメータとを示す情報が送信されてもよい。パラメータf(2)DMRSに関する情報は、上位層（無線リソース制御層）のメッセージとしてＰＤＳＣＨを用いて基地局装置３から移動局装置１へ送信される。基地局装置３（セル、ポイント）間は、自局装置が選択したf(1)DMRSとf(2)DMRSとを示す情報を隣接する基地局装置３（セル、ポイント）へ通知する。これにより、基地局装置３が隣接するセルから通知された該情報および移動局装置１に対するＰＵＳＣＨのスケジューリングなどに応じてf(1)DMRSとf(2)DMRSとを適切に選択することで、隣接する基地局装置３（セル、ポイント）とＤＭＲＳの干渉コーディネーションを行なうことができる。
【０１２２】
尚、数式（８）と数式（１１）の代わりに数式（１３）と数式（１４）を用いてもよい。また、数式（８）と数式（１２）の代わりに数式（１３）と数式（１５）を用いてもよい。
【０１２３】
【数１３】
0005941401.tif 000014
【０１２４】
【数１４】
0005941401.tif 000015
【０１２５】
【数１５】
0005941401.tif 000016
【０１２６】
数式（８）と数式（１１）との代わりに数式（１３）と数式（１４）とを用いる場合には、f(1)DMRSとf(2)DMRSとに基づいてＰＵＣＣＨとＰＵＳＣＨに対するＤＭＲＳシーケンスのシーケンスグループ番号が算出される。数式（８）と数式（１２）との代わりに数式（１３）と数式（１５）とを用いる場合には、f(1)DMRSとf(2)DMRSとに基づいてＰＵＳＣＨに対するＤＭＲＳシーケンスのシーケンスグループ番号が算出される。
【０１２７】
以下、本発明のシーケンスホッピングについて説明する。
【０１２８】
シーケンスホッピングは、長さが７２以上のＤＭＲＳシーケンスに対してのみ適用する。長さが７２よりも小さいＤＭＲＳシーケンスに対して、スロットnsにおけるベースシーケンスグループ内のベースシーケンス番号νは０である。長さが７２以上のＤＭＲＳシーケンスに対して、スロットnsにおけるベースシーケンスグループ内のベースシーケンス番号νは、数式（１６）に応じて擬似乱数シーケンスc(・)とＰＤＣＣＨで送信される情報から決定される移動局装置固有のパラメータf(1)SHと上位層によって設定される移動局装置固有のパラメータf(2)SHとによって定義される。
【０１２９】
【数１６】
0005941401.tif 000017
【０１３０】
移動局装置１は、上位層によって与えられるセル固有のパラメータSequence-hopping-enabledに応じてシーケンスホッピングの有効（enabled）または無効(disabled)を決定する。Sequence-hopping-enabledに応じてシーケンスグループホッピングを有効（enabled）としていたとしても、移動局装置１は上位層によって与えられる移動局装置固有のパラメータDisable-sequence-group-hoppingに応じてＰＵＳＣＨに対するシーケンスホッピングを無効（disabled）とすることができる。
【０１３１】
ベースシーケンス番号の擬似乱数シーケンスc(・)は、数式（１７）によって算出されるcinitによって無線フレームそれぞれの始まりに初期化される。
【０１３２】
【数１７】
0005941401.tif 000018
【０１３３】
パラメータf(1)SHに関する情報は、ＰＵＳＣＨのスケジューリングに用いられる上りリンクグラント（ＤＣＩフォーマット０および／またはＤＣＩフォーマット４）を用いて基地局装置３から移動局装置１へ送信される。尚、上りリンクグラント（ＤＣＩフォーマット０および／またはＤＣＩフォーマット４）を用いて、ＤＭＲＳに対するサイクリックシフトに関するパラメータとf(1)DMRS関するパラメータとの内少なくとも１つとf(1)SHとを示す情報が送信されてもよい。
【０１３４】
パラメータf(2)SHに関する情報は、上位層（無線リソース制御層）のメッセージとしてＰＤＳＣＨを用いて基地局装置３から移動局装置１へ送信される。基地局装置３（セル、ポイント）間は、自局装置が選択したf(1)SHとf(2)SHとを示す情報を隣接する基地局装置３（セル、ポイント）へ通知する。これにより、基地局装置３が隣接するセルから通知された該情報および移動局装置１に対するＰＵＳＣＨのスケジューリングなどに応じてf(1)SHとf(2)SHとを適切に選択することで、隣接する基地局装置３（セル、ポイント）とＤＭＲＳの干渉コーディネーションを行なうことができる。
【０１３５】
尚、ＰＵＣＣＨは常に１つの物理リソースブロックにマップされ、ＰＵＣＣＨに対するＤＭＲＳシーケンスの長さは常に同じであるため、サイクリックシフトによる直交を適用することができる。ゆえに、ＰＵＣＣＨに対するシーケンスグループ番号を算出する際には、数式（８）と数式（１４）とにおいてf(1)DMRSとf(2)DMRSとを０にし、数式（１６）においてf(1)SHとf(2)SHとを０にしてもよい。尚、f(1)DMRSとf(2)DMRSとf(1)SHとf(2)SHのデフォルトの値は０である。尚、f(1)DMRSとf(2)DMRSとは０から２９の範囲内の整数であり、f(1)SHとf(2)SHとは０または１の整数である。
【０１３６】
尚、数式（８）と数式（１４）と数式（１５）とにおいて、f(1)DMRSとf(2)DMRSのうちいずれか一方のみを用いてもよい。尚、数式（１６）において、f(1)SHとf(2)SHのうちいずれか一方のみを用いてもよい。尚、数式（８）と数式（１４）と数式（１５）と数式（１６）とにおいて、f(1)DMRSとf(2)DMRSとf(1)SHとf(2)SHのうち少なくとも１つのみを用いてもよい。つまり、移動局装置１は、移動局装置固有のパラメータを用いて、シーケンスグループ番号ｕとベースシーケンス番号νのいずれか一方を決定してもよい。
【０１３７】
f(1)DMRSの値とf(1)SHの値とは、上りリンクグラント（ＤＣＩフォーマット０および／またはＤＣＩフォーマット４）を用いて基地局装置３から移動局装置１へ送信されるため、サブフレーム単位でダイナミックに変更するこができるが、基地局装置３から移動局装置１への信号のオーバーヘッドが増加してしまう。f(2)DMRSの値とf(2)SHの値とは、上位層のメッセージとしてＰＤＳＣＨを用いて基地局装置３から移動局装置１へ送信されるため、サブフレーム単位でダイナミックに変更することはできないが、上りリンクグラント（ＤＣＩフォーマット０および／またはＤＣＩフォーマット４）を用いてf(1)DMRSの値とf(1)SHの値とを通知する方法よりも基地局装置３から移動局装置１への信号のオーバーヘッドの増加は少ない。
【０１３８】
以下、擬似乱数シーケンスc(・)の生成方法について説明する。長さMPNの出力系列c(n)（n=0, 1,…, MPN−1）は、数式（１８）で定義される。
【０１３９】
【数１８】
0005941401.tif 000019
【０１４０】
Nc＝１６００である。第１のｍシーケンスx1は、x1(0)=1、x1 (n)=1（n=1, 2,…, 30）に初期化される。第２のｍシーケンスx2は、数式（１９）によって初期化される。移動局装置１は、数式（１９）を成立させるx2の値をx2の初期値とする。
【０１４１】
【数１９】
0005941401.tif 000020
【０１４２】
移動局装置１は、数式（２０）と数式（２１）を用いて、ｎの値が３１以上のx1とx2の値をそれぞれ算出する。
【０１４３】
【数２０】
0005941401.tif 000021
【０１４４】
【数２１】
0005941401.tif 000022
【０１４５】
以下、本発明のランダムアクセスについて説明する。
【０１４６】
ランダムアクセスには、Contention based Random Accessと、Non-contention based Random Accessの２つのアクセス方法がある。Contention based Random Accessは、移動局装置１間で衝突する可能性のあるアクセス方法であり、通常行なわれるランダムアクセスである。Non-contention based Random Accessは、移動局装置１間で衝突が発生しないアクセス方法であり、迅速に移動局装置１と基地局装置３間の同期をとるためにハンドオーバ等の特別な場合に基地局装置３主導で行なわれるランダムアクセスである。
【０１４７】
以下、本発明のContention based Random Accessについて説明する。Non-contention based Random Accessの説明は省略する。
【０１４８】
ランダムアクセスでは、同期をとるために移動局装置１はプリアンブルのみ送信する。プリアンブルは、情報を表す信号パターンであるシグネチャが含まれ、数十種類のシグネチャを用意して数ビットの情報を表現することができる。移動局装置１は、プリアンブルを用いて６ビットの情報を送信するので、６４種類のシグネチャが用意される。
【０１４９】
基地局装置３は、移動局装置１から送信されたプリアンブルを受信すると、プリアンブルから移動局装置１と基地局装置３間の同期タイミングのずれを算出し、移動局装置１がメッセージ３を送信するためのスケジューリングを行なう。そして、基地局装置３はプリアンブルを送信した移動局装置１にＴｅｍｐｏｒａｒｙ  Ｃ−ＲＮＴＩを割り当て、プリアンブルを受信したＰＲＡＣＨに対応するＲＡ−ＲＮＴＩ（Random Access-Radio Network Temporary Identifier）をＰＤＣＣＨに含めて配置し、このＰＤＣＣＨに含まれる無線リソース割り当てが示すＰＤＳＣＨに同期タイミングのずれ情報、ＰＵＳＣＨのスケジューリング情報、Ｔｅｍｐｏｒａｒｙ  Ｃ−ＲＮＴＩおよび受信したプリアンブルのシグネチャの番号（ランダムID、またはプリアンブルIDとも呼称する。）を含んだランダムアクセスレスポンス（メッセージ２）を送信する。ランダムアクセスレスポンスに含まれるＰＵＳＣＨのスケジューリング情報をランダムアクセスレスポンスグラント（random access response grant）と称する。
【０１５０】
移動局装置１は、検出したＰＤＣＣＨにＲＡ−ＲＮＴＩが含まれていることを確認すると、ＰＤＣＣＨに含まれる無線リソース割り当てが示すＰＤＳＣＨに配置されたランダムアクセスレスポンスの中身を確認する。移動局装置１は自装置が送信したプリアンブルのシグネチャの番号が含まれる応答を抽出し、同期タイミングのずれを補正し、割り当てられたＰＵＳＣＨの無線リソースと送信フォーマットで予め基地局装置３から通知されたＣ−ＲＮＴＩ、または接続要求のメッセージ（RRCConnectionRequest message）、または接続再設定要求のメッセージ（RRCConnectionReestablishmentRequestmessage）を含むメッセージ３を送信する。
【０１５１】
基地局装置３は、移動局装置１からのメッセージ３を受信すると、受信したメッセージ３に含まれるＣ−ＲＮＴＩまたは、接続要求のメッセージまたは接続再設定要求のメッセージに含まれる移動局装置１を識別する情報を含むコンテンションレゾリューション（メッセージ４）を移動局装置１に送信する。
【０１５２】
基地局装置３は、メッセージ３の復号に失敗した場合は、復号に失敗したメッセージ３が対応するＴｅｍｐｏｒａｒｙ  Ｃ−ＲＮＴＩを含むＤＣＩフォーマット０またはＮＡＣＫを示すＨＡＲＱインディケータを用いて移動局装置１にメッセージ３の再送を指示する。移動局装置１は、ＮＡＣＫを示すＨＡＲＱインディケータによってメッセージ３の再送信を指示された場合には、メッセージ３に対するＰＵＳＣＨのスケジューリングに用いられる最後に受信した情報（ランダムアクセスレスポンスグラントおよび／またはＤＣＩフォーマット０）に従ってメッセージ３の再送信を行なう。
【０１５３】
図９は、本発明のメッセージ３の初期送信および再送信の手順の一例を説明する図である。図９において、横軸は時間領域であり、灰色でハッチングされた四角は、ＰＤＳＣＨで送信され、ランダムアクセスレスポンスグラントを含むランダムアクセスレスポンスを示し、ドットでハッチングされた四角は、ＰＨＩＣＨで送信され、ＮＡＣＫを示すＨＡＲＱインディケータを示し、右上から左下への斜線でハッチングされた四角は、ＰＤＣＣＨを用いて送信され、Ｔｅｍｐｏｒａｒｙ  Ｃ−ＲＮＴＩを含み、メッセージ３の再送信を指示するＤＣＩフォーマット０を示し、右下から左上への斜線でハッチングされた四角は、ＰＵＳＣＨで送信されるメッセージ３のトランスポートブロックを示し、角括弧を付けた番号はサブフレームの番号を示す。
【０１５４】
図９において、サブフレームｎにおいて、移動局装置１はランダムアクセスレスポンスグラントを含むランダムアクセスレスポンスを受信する。サブフレームｎ＋４において、移動局装置１はサブフレームｎで受信したランダムアクセスレスポンスに含まれるランダムアクセスレスポンスグラントに従ってメッセージ３のトランスポートブロックをＰＵＳＣＨで初期送信する（Ｔ７０１）。サブフレームｎ＋８において、移動局装置１はサブフレームｎ＋４で初期送信をしたＰＵＳＣＨに対応するトランスポートブロックに対するＨＡＲＱインディケータを受信する。サブフレームｎ＋８で受信したＨＡＲＱインディケータがＮＡＣＫを示している場合に、移動局装置１は、サブフレームｎ＋１２において、サブフレームｎで受信したランダムアクセスレスポンスに含まれるランダムアクセスレスポンスグラントに従って、サブフレームｎ＋４で初期送信をしたＰＵＳＣＨに対応するメッセージ３のトランスポートブロックと同じトランスポートブロックを再送信する（Ｔ７０３）。
【０１５５】
サブフレームｎ＋１６において、移動局装置１はサブフレームｎ＋４において初期送信をしたＰＵＳＣＨに対応するトランスポートブロックに対する再送信を指示するＤＣＩフォーマット０を受信する。サブフレームｎ＋２０において、移動局装置１はサブフレームｎ＋１６で受信したＤＣＩフォーマット０に従って、サブフレームｎ＋４で初期送信をしたＰＵＳＣＨに対応するメッセージ３のトランスポートブロックと同じトランスポートブロックを再送信する（Ｔ７０５）。サブフレームｎ＋２４において、移動局装置１はサブフレームｎ＋４で初期送信をしたＰＵＳＣＨに対応するトランスポートブロックに対するＨＡＲＱインディケータを受信する。サブフレームｎ＋２４で受信したＨＡＲＱインディケータがＮＡＣＫを示している場合に、移動局装置１は、サブフレームｎ＋２８において、サブフレームｎ＋１６で受信したＤＣＩフォーマット０に従って、サブフレームｎ＋４で初期送信をしたＰＵＳＣＨに対応するメッセージ３のトランスポートブロックと同じトランスポートブロックを再送信する（Ｔ７０７）。
【０１５６】
基地局装置３は、いずれの移動局装置１が、Contention based Random Accessの一環としてランダムアクセスレスポンスグラントでスケジューリングされたＰＵＳＣＨの送信、および該ＰＵＳＣＨで送信されたトランスポートブロックと同じトランスポートブロックに対するＰＵＳＣＨの送信を行なったのかを知らない。つまり、基地局装置３は、いずれの移動局装置１が、Contention based Random Accessの一環としてメッセージ３の初期送信および再送信をしたのかを知らない。
【０１５７】
従って、移動局装置１が、Contention based Random Accessの一環としてメッセージ３の初期送信および再送信をＰＵＳＣＨで行なう際に、移動局装置固有のパラメータであるf(1)DMRSとf(2)DMRSとf(1)SHとf(2)SHとのうち少なくとも１つを用いてＤＭＲＳシーケンスのシーケンスグループ番号ｕとベースシーケンス番号νとのうち少なくとも１つを決定すると、基地局装置３は、移動局装置１が送信するＤＭＲＳシーケンスのシーケンスグループ番号ｕとベースシーケンス番号νを知ることができないため、メッセージ３の送信に対応するＰＵＳＣＨのＤＭＲＳから伝搬路を推定することができず、該ＰＵＳＣＨの伝搬路の補償をすることができないという問題がある。
【０１５８】
そこで、本発明では、移動局装置１は、基地局装置３から移動局装置固有のパラメータであるf(1)DMRSとf(2)DMRSとf(1)SHとf(2)SHとのうち少なくとも１つを通知されていたとしても、Contention based Random Accessの一環としてメッセージ３の初期送信および再送信をＰＵＳＣＨで行う際には、f(1)DMRSとf(2)DMRSとf(1)SHとf(2)SHとを０としてＰＵＳＣＨのＤＭＲＳシーケンスのシーケンスグループ番号ｕとベースシーケンス番号νとを決定する。
【０１５９】
つまり、移動局装置１は、ＰＵＳＣＨに対するＤＭＲＳシーケンスの生成に用いられるパラメータ（f(1)DMRSとf(2)DMRSとf(1)SHとf(2)SH）に関連する情報を物理下りリンクチャネル（ＰＤＳＣＨまたはＰＤＣＣＨ）で受信し、Contention based Random Accessと関係なくトランスポートブロックの送信をＰＵＳＣＨで行う際には、前記パラメータに関連する前記情報を用いて前記パラメータの値を決定し、Contention based Random Accessの一環としてトランスポートブロックの送信を物理上りリンク共用チャネルで行う際には、前記パラメータの値を０とし、前記パラメータの値を用いて、ＤＭＲＳシーケンスを生成する。
【０１６０】
より具体的には、移動局装置１は、ＰＵＳＣＨに対するＤＭＲＳシーケンスの生成に用いられるパラメータ（f(1)DMRSとf(2)DMRSとf(1)SHとf(2)SH）に関連する情報を物理下りリンクチャネル（ＰＤＣＣＨまたはＰＤＳＣＨ）で受信し、前記ＰＵＳＣＨのスケジューリングに用いられる下りリンク制御情報（ＤＣＩフォーマット０および／またはＤＣＩフォーマット４）をＰＤＣＣＨで受信し、前記ＰＵＳＣＨの送信に対応するトランスポートブロックに対する、最後に受信した下りリンク制御情報の送信にtemporary C-RNTIが用いられた際には、前記パラメータの値を０とし、前記ＰＵＳＣＨの送信に対応するトランスポートブロックに対する、最後に受信した下りリンク制御情報の送信にC-RNTIが用いられた際には、前記パラメータに関連する前記情報を用いて前記パラメータの値を決定し、前記パラメータの値を用いて、前記ＤＭＲＳシーケンスを生成する。
【０１６１】
また、移動局装置１は、ＰＵＳＣＨのスケジューリングに用いられるランダムアクセスレスポンスグラントを含むランダムアクセスレスポンスをＰＤＳＣＨで受信し、前記ＰＵＳＣＨの初期送信が前記ランダムアクセスレスポンスグラントによってスケジューリングされ、前記ランダムアクセスレスポンスグラントによってスケジューリングされた前記ＰＵＳＣＨの送信に対応するトランスポートブロックに対する前記下りリンク制御情報（ＤＣＩフォーマット０）をＰＤＣＣＨで受信していない場合には、前記パラメータ（f(1)DMRSとf(2)DMRSとf(1)SHとf(2)SH）の値を０とする。
【０１６２】
つまり、移動局装置１は、Contention based Random Accessの一環として、ＰＤＳＣＨで受信したランダムアクセスレスポンスに含まれるランダムアクセスレスポンスグラントに基づいてメッセージ３の送信をＰＵＳＣＨで行なう場合（すなわち、図９のＴ７０１とＴ７０３の場合）には、前記パラメータ（f(1)DMRSとf(2)DMRSとf(1)SHとf(2)SH）の値を０とする。また、移動局装置１は、Contention based Random Accessの一環として、ＰＤＣＣＨで受信した下りリンク制御情報（ＤＣＩフォーマット０）に基づいてメッセージ３の再送信をＰＵＳＣＨで行なう場合（すなわち、図９のＴ７０５とＴ７０７の場合）には、前記パラメータ（f(1)DMRSとf(2)DMRSとf(1)SHとf(2)SH）の値を０とする。
【０１６３】
尚、移動局装置１は、Contention based Random Accessの一環としてトランスポートブロックの送信をＰＵＳＣＨで行う際に、セル固有のパラメータΔssの値を０にしない。
【０１６４】
以下、以下本発明の移動局装置の動作について説明する。
【０１６５】
図１０は、本発明の移動局装置１によるＤＭＲＳシーケンスの送信に関する処理の一例を示すフローチャート図である。まず、移動局装置１は、ＰＵＳＣＨに対するＤＭＲＳシーケンスの生成に用いられるパラメータ（f(1)DMRSとf(2)DMRSとf(1)SHとf(2)SH）に関連する情報を物理下りリンクチャネル（ＰＤＳＣＨまたはＰＤＣＣＨ）で受信する（ステップＳ８００）。移動局装置１は、ＰＵＳＣＨのスケジューリングに用いられる情報（ランダムアクセスレスポンスグラント、上りリンクグラント）を物理下りリンクチャネル（ＰＤＳＣＨ、ＰＤＣＣＨ）で受信する（ステップＳ８０１）。
【０１６６】
ステップＳ８０１で受信した情報に基づいて、Contention based Random Accessの一環としてＰＵＳＣＨでトランスポートブロックの送信を行なう場合には（ステップＳ８０２−Ｙｅｓ）、移動局装置１はＰＵＳＣＨに対するＤＭＲＳシーケンスの生成に用いられるパラメータの値を０とする（ステップＳ８０３）。ステップＳ８０１で受信した情報に基づいて、Contention based Random Accessとは関係なくＰＵＳＣＨでトランスポートブロックの送信を行なう場合には（ステップＳ８０３−Ｎｏ）、ステップＳ８００で受信したパラメータに関連する情報を用いて、前記パラメータの値を決定する。
【０１６７】
移動局装置１は、ステップＳ８０３またはステップＳ８０４において決定されたパラメータの値を用いてシーケンスグループ番号ｕとベースシーケンス番号νを決定し、決定したシーケンスグループ番号ｕとベースシーケンス番号νを用いてＤＭＲＳシーケンスを生成する（ステップＳ８０５）。移動局装置１は、ステップＳ８０５で生成したＤＭＲＳシーケンスをＰＵＳＣＨとともに送信する（ステップＳ８０６）。つまり、ステップＳ８０５で生成したＤＭＲＳシーケンスをＳＣ−ＦＤＭＡ変調して得られるＳＣ−ＦＤＭＡシンボルとＰＵＳＣＨのＳＣ−ＦＤＭＡシンボルを時間多重して送信する。
【０１６８】
これにより、基地局装置３は、移動局装置１が送信するメッセージ３に対応するＰＵＳＣＨのＤＭＲＳシーケンスのシーケンスグループ番号ｕとベースシーケンス番号νを推定でき、メッセージ３の送信に対応するＰＵＳＣＨのＤＭＲＳから伝搬路を推定することができ、該メッセージ３の送信に対応するＰＵＳＣＨの伝搬路の補償をすることができる。また、これにより、基地局装置３は、メッセージ３に対応していないＰＵＳＣＨのＤＭＲＳシーケンスのシーケンスグループ番号ｕとベースシーケンス番号νを移動局装置１のそれぞれに対して個別に制御することができる。
【０１６９】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１７０】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１７１】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７２】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１７３】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１７４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１７５】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
３０１１  無線リソース制御部
３０１３  スケジューリング部
３０１５  制御情報生成部
【図１】
0005941401.tif 000023
【図２】
0005941401.tif 000024
【図３】
0005941401.tif 000025
【図４】
0005941401.tif 000026
【図５】
0005941401.tif 000027
【図６】
0005941401.tif 000028
【図７】
0005941401.tif 000029
【図８】
0005941401.tif 000030
【図９】
0005941401.tif 000031
【図１０】
0005941401.tif 000032
【図１１】
0005941401.tif 000033